(57)【要約】【課題】本発明は，携帯電話によって通信回線を介して受信されたディジタル情報のうち，予め自動印刷出力するように指定された情報を，該携帯電話と接続した携帯プリンタへ送信し，該携帯プリンタより自動印刷出力することを可能とする携帯電話及び携帯プリンタを提供することを目的とする。【解決手段】本発明は，予め自動的に印刷するように設定されたディジタル情報を受信した時，自動的に該ディジタル情報へ携帯プリンタへ送信する手段を有する携帯電話と，前記携帯電話から受信したディジタル情報を自動的に印刷出力する携帯プリンタから構成される。【選択図】　　　　図１
2004056366.tif 000002
【特許請求の範囲】
【請求項１】
通信回線を介して画像や文字のディジタル情報を送受信するディジタル情報送受信手段と，
該ディジタル情報を記憶する記憶手段とを有する携帯電話において，
該携帯電話が，
画像及び文字のディジタル情報を記録紙に視認可能に印刷するプリンタ手段を有し，
さらに前記携帯電話と有線または無線接続する手段を有する携帯プリンタ装置と，
有線または無線接続している間，
前記送受信手段によってディジタル情報を受信した時，
自動的に，印刷出力するディジタル情報の種類を設定する自動印刷設定手段を具備することを特徴とする携帯電話。
【請求項２】
通信回線を介して画像や文字のディジタル情報を送受信するディジタル情報送受信手段と，
該ディジタル情報を記憶する記憶手段とを有する携帯電話において，
前記自動印刷設定手段によって設定される，自動印刷の対象となるディジタル情報の１つは，前記携帯電話が通信回線を介して受信した，画像ディジタル情報であることを特徴とする請求項１に記載の携帯電話。
【請求項３】
通信回線を介して画像や文字のディジタル情報を送受信するディジタル情報送受信手段と，
該ディジタル情報を記憶する記憶手段とを有する携帯電話において，
前記自動印刷設定手段によって設定される，自動印刷の対象となるディジタル情報の１つは，前記携帯電話が通信回線を介して受信した，文字ディジタル情報であることを特徴とする請求項１に記載の携帯電話。
【請求項４】
通信回線を介して画像や文字のディジタル情報を送受信するディジタル情報送受信手段と，
該ディジタル情報を記憶する記憶手段とを有する携帯電話において，
前記自動印刷設定手段によって設定される，自動印刷の対象となるディジタル情報の１つは，前記携帯電話が通信回線を介して受信した，画像ディジタル情報と文字ディジタル情報の両方を含むディジタル情報であることを特徴とする請求項１に記載の携帯電話。
【請求項５】
通信回線を介して画像や文字のディジタル情報を送受信するディジタル情報送受信手段と，
該ディジタル情報を記憶する記憶手段とを有する携帯電話において，
前記自動印刷設定手段によって設定される，自動印刷の対象となるディジタル情報の１つは，前記携帯電話が通信回線を介して受信した，カラーディジタル情報であることを特徴とする請求項１に記載の携帯電話。
【請求項６】
通信回線を介して画像や文字のディジタル情報を送受信するディジタル情報送受信手段と，
該ディジタル情報を記憶する記憶手段とを有する携帯電話において，
前記自動印刷設定手段によって設定される，自動印刷の対象となるディジタル情報の１つは，前記携帯電話が通信回線を介して受信した，モノクロディジタル情報であることを特徴とする請求項１に記載の携帯電話。
【請求項７】
通信回線を介して画像や文字のディジタル情報を送受信するディジタル情報送受信手段と，
該ディジタル情報を記憶する記憶手段とを有する携帯電話において，
前記自動印刷設定手段によって設定される，自動印刷の対象となるディジタル情報の１つは，前記携帯電話が通信回線を介して受信したディジタル情報のうち，該ディジタル情報の送信者によって予め印刷指定がなされているディジタル情報であることを特徴とする請求項１に記載の携帯電話。
【請求項８】
通信回線を介して画像や文字のディジタル情報を送受信するディジタル情報送受信手段と，
該ディジタル情報を記憶する記憶手段とを有する携帯電話において，
前記自動印刷設定手段によって設定される自動印刷情報を記憶する自動印刷情報記憶手段を具備することを特徴とする請求項１に記載の携帯電話。
【請求項９】
通信回線を介して画像や文字のディジタル情報を送受信するディジタル情報送受信手段と，
該ディジタル情報を記憶する記憶手段とを有する携帯電話において，
該携帯電話が，画像及び文字のディジタル情報を記録紙に視認可能に印刷するプリンタ手段を有し，
さらに前記携帯電話と有線または無線接続する手段を有する携帯プリンタ装置と，
有線または無線接続している間，
前記送受信手段によってディジタル情報を受信した時，
自動的に，フォーマット印刷を行うディジタル情報の種類と，該ディジタル情報に対応したフォーマットとを設定する自動フォーマット印刷設定手段を具備することを特徴とする請求項１に記載の携帯電話。
【請求項１０】
通信回線を介して画像や文字のディジタル情報を送受信するディジタル情報送受信手段と，
該ディジタル情報を記憶する記憶手段とを有する携帯電話において，
前記自動フォーマット印刷的設定手段によって設定される，フォーマット印刷の対象となるディジタル情報の１つは，前記携帯電話が通信回線を介して受信した，画像ディジタル情報であることを特徴とする請求項１に記載の携帯電話。
【請求項１１】
通信回線を介して画像や文字のディジタル情報を送受信するディジタル情報送受信手段と，
該ディジタル情報を記憶する記憶手段とを有する携帯電話において，
前記自動フォーマット印刷的印刷設定手段によって設定される，フォーマット印刷の対象となるディジタル情報の１つは，前記携帯電話が通信回線を介して受信した，文字ディジタル情報であることを特徴とする請求項１に記載の携帯電話。
【請求項１２】
通信回線を介して画像や文字のディジタル情報を送受信するディジタル情報送受信手段と，
該ディジタル情報を記憶する記憶手段とを有する携帯電話において，
前記自動フォーマット印刷的印刷設定手段によって設定される，フォーマット印刷の対象となるディジタル情報の１つは，前記携帯電話が通信回線を介して受信した，画像ディジタル情報と文字ディジタル情報の両方を含むディジタル情報であることを特徴とする請求項１に記載の携帯電話。
【請求項１３】
通信回線を介して画像や文字のディジタル情報を送受信するディジタル情報送受信手段と，
該ディジタル情報を記憶する記憶手段とを有する携帯電話において，
前記自動フォーマット印刷的印刷設定手段によって設定される，フォーマット印刷の対象となるディジタル情報の１つは，前記携帯電話が通信回線を介して受信した，カラーディジタル情報であることを特徴とする請求項１に記載の携帯電話。
【請求項１４】
通信回線を介して画像や文字のディジタル情報を送受信するディジタル情報送受信手段と，
該ディジタル情報を記憶する記憶手段とを有する携帯電話において，
前記自動フォーマット印刷的印刷設定手段によって設定される，フォーマット印刷の対象となるディジタル情報の１つは，前記携帯電話が通信回線を介して受信した，モノクロディジタル情報であることを特徴とする請求項１に記載の携帯電話。
【請求項１５】
通信回線を介して画像や文字のディジタル情報を送受信するディジタル情報送受信手段と，
該ディジタル情報を記憶する記憶手段とを有する携帯電話において，
前記自動フォーマット印刷設定手段によって設定された自動フォーマット印刷情報を記憶する自動フォーマット印刷情報記憶手段を具備することを特徴とする請求項１に記載の携帯電話。
【請求項１６】
通信回線を介して画像や文字のディジタル情報を送受信するディジタル情報送受信手段と，
該ディジタル情報を記憶する記憶手段とを有する携帯電話において，
該携帯電話が，画像及び文字のディジタル情報を記録紙に視認可能に印刷するプリンタ手段を有し，
さらに前記携帯電話と有線または無線接続する手段を有する携帯プリンタ装置と，有線または無線接続している間，
前記自動印刷設定手段によって予め自動印刷するように設定されたディジタル情報，または前記自動フォーマット印刷設定手段によって予め自動フォーマット印刷するように設定されたディジタル情報のいずれかを受信した時，
自動的に，前記携帯電話と有線または無線接続した携帯プリンタに該ディジタル情報を送信する自動送信手段を具備することを特徴とする携帯電話。
【請求項１７】
通信回線を介して画像や文字のディジタル情報を送受信するディジタル情報送受信手段と，
該ディジタル情報を記憶する記憶手段とを有する携帯電話において，
前記自動フォーマット印刷的印刷設定手段によって設定されるフォーマットを入力するフォーマット入力手段を具備することを特徴とする請求項１に記載の携帯電話。
【請求項１８】
通信回線を介して画像や文字のディジタル情報を送受信するディジタル情報送受信手段と，
該ディジタル情報を記憶する記憶手段とを有する携帯電話において，
前記フォーマット入力手段の１つは，前記携帯電話からアクセス可能なインターネットのホームページから前記フォーマットをダウンロードするフォーマットダウンロード手段であることを特徴とする請求項１に記載の携帯電話。
【請求項１９】
通信回線を介して画像や文字のディジタル情報を送受信するディジタル情報送受信手段と，
該ディジタル情報を記憶する記憶手段とを有する携帯電話において，
画像及び文字のディジタル情報を記録紙に視認可能に印刷するプリンタ手段を有し，
さらに前記携帯電話と有線または無線接続する手段を有する携帯プリンタ装置と，有線または無線接続している間，
前記送受信手段によって，前記フォーマット印刷情報設定手段によって設定されたディジタル情報を受信した時，
自動的に，該ディジタル情報に前記フォーマット印刷情報記憶手段によって記憶されたフォーマットを設定するための画像処理を行うフォーマット画像処理手段を具備することを特徴とする請求項１に記載の携帯電話。
【請求項２０】
画像及び文字のディジタル情報を記録紙に視認可能に印刷するプリンタ手段と，
前記携帯電話と有線または無線接続する手段を有する携帯プリンタ装置において，
前記携帯電話からディジタル情報を受信するディジタル情報受信手段を有することを特徴とする携帯プリンタ。
【請求項２１】
画像及び文字のディジタル情報を記録紙に視認可能に印刷するプリンタ手段と，
前記携帯電話と有線または無線接続する手段を有する携帯プリンタ装置において，
前記携帯電話からディジタル情報を受信したことを機に，該ディジタル情報を印刷出力する自動印刷手段を有することを特徴とする携帯プリンタ。
【発明の詳細な説明】
【０００１】
【発明の属する技術分野】
本発明は，携帯電話及び携帯プリンタに関するものである。
【０００２】
具体的には，通信回線を介して画像や文字のディジタル情報を送受信するディジタル情報送受信手段と，該ディジタル情報を記憶する記憶手段とを有する携帯電話装置，および，前記携帯電話と有線または無線接続する手段を有し，さらに画像及び文字のディジタル情報を記録紙に視認可能に印刷するプリンタ手段を有するプリンタ装置に関するものである。
【０００３】
【従来の技術】
近年の携帯電話端末の普及には目を見張るものがあり，それと同時に携帯電話の機能拡張の勢いは止まるところを知らない。特に，携帯電話を利用したインターネットサービスや，Ｅ−ｍａｉｌサービス利用者の増加傾向はめざましく，携帯電話によって画像ディジタル情報や文字ディジタル情報を扱う機会が増えてきている。
【０００４】
そんな中，画像ディジタル情報や文字ディジタル情報を送受信したり，それらを携帯電話の液晶ディスプレイ（ＬＣＤ）上で見たり，携帯電話のメモリに保存しておくだけではなく，受信後，自動的に，しかも手軽に体裁良く，ディジタル情報を記録紙に視認可能に印刷出力したいという要求が高まりつつある。
【０００５】
従来技術として，携帯電話からデータを受信して印刷出力するプリンタは存在する。
【０００６】
特開平１１−３２０９７７号公報に記載の装置において，携帯電話装置に入力される文字データや音声データを印刷出力することができるプリンタ装，携帯電話装置及びプリンタシステムは開示されている。
【０００７】
また，受信したＦＡＸを外部装置へ送信する携帯電話は存在する。特開平１１−３６８３５３号公報に記載の装置において，従来のアナログ機器を接続可能とし，受信したＦＡＸをビデオプリンタで印刷することができる電話は開示されている。
【０００８】
【発明が解決しようとしている課題】
しかしながら，上記の従来技術例では，文字データや音声データを印刷出力するだけに止まり，画像データの印刷出力を行うに至らないという問題点がある。
【０００９】
また，操作者によって，通信回線を介して受信した画像ディジタル情報や文字ディジタル情報の中から，印刷を所望するディジタル情報が選択され，印刷を促すボタンを押下げられたことを機に印刷出力を行うため，印刷出力するための操作が煩雑になるという問題点がある。
【００１０】
本発明は，携帯電話によって通信回線を介して受信された文字ディジタル情報及び画像ディジタル情報のうち，予め自動印刷出力するように指定された情報を，該携帯電話と接続した携帯プリンタへ送信し，自動印刷出力することを可能とする携帯電話及び携帯プリンタを提供することを目的とする。
【００１１】
【課題を解決するための手段】
本発明の課題を解決するための手段は，携帯電話において，該携帯電話が，携帯プリンタ装置と有線または無線接続している間，通信回線を介して画像や文字のディジタル情報を送受信するディジタル情報送受信手段と，ディジタル情報を記憶するメモリ手段と，前記携帯電話に具備された液晶ディスプレイ（ＬＣＤ）上にディジタル情報を表示するディジタル情報表示手段と，前記送受信手段によってディジタル情報を受信した時，自動的に印刷出力するディジタル情報の種類を設定する自動印刷設定手段と，前記自動印刷設定手段によって設定される自動印刷情報を記憶する自動印刷情報記憶手段と，前記送受信手段によってディジタル情報を受信した時，自動的に受信したディジタル情報の種類に応じて，印刷フォーマットを設定するディジタル情報の種類と該ディジタル情報の種類に対応したフォーマットを設定する自動フォーマット印刷設定手段と，前記フォーマット印刷設定手段によって設定される自動フォーマット印刷情報を記憶する自動フォーマット印刷情報記憶手段と，前記フォーマット印刷設定手段によって設定されるフォーマットを入力するフォーマット入力手段と，前記フォーマット入力手段の１つであり，複数のフォーマットを掲載したインターネットのＨＰより，操作者の所望のフォーマットをダウンロードするフォーマットダウンロード手段である。
【００１２】
前記送受信手段によって，前記印刷フォーマット設定手段によって設定されたディジタル情報を受信した時，自動的に該ディジタル情報に印刷フォーマットを設定するための画像処理を行うフォーマット画像処理手段と，前記自動印刷設定手段によって設定されたディジタル情報を受信した時，前記携帯電話と有線または無線接続した携帯プリンタに該ディジタル情報を自動的に送信する自動送信手段と，携帯プリンタ装置において，該プリンタと有線または無線接続した前記携帯電話からディジタル情報を受信する画像ディジタル情報受信手段と，前記送受信手段によって受信した該ディジタル情報を記憶するメモリ手段と，該ディジタル情報を視認可能に印刷するための画像処理手段と，該ディジタル情報を記録紙に視認可能に印刷するプリンタ手段と，該プリンタ手段を制御するプリント制御手段と，前記携帯電話から該ディジタル情報を受信したことを機に，該ディジタル情報の印刷を開始する自動印刷手段である。
【００１３】
【発明の実施の形態】
本発明を図示の実施の形態に基づいて説明する。
【００１４】
図１〜図９を用いて，本発明の実施の一形態に係る携帯電話及び携帯プリンタについて説明する。
【００１５】
図１は本発明の実施の形態における，携帯プリンタの詳細な構成を示すブロック図である。
【００１６】
図１について，以下に説明する。
【００１７】
図１において，Ｓ１０１は，制御装置１，Ｓ１０２は，画像ディジタル情報を記憶するメモリ手段１，Ｓ１０３は，本プリンタと有線または無線接続した携帯電話より画像ディジタル情報を受信する画像ディジタル情報受信手段，Ｓ１０４は，画像ディジタル情報を印刷出力するための画像処理手段，Ｓ１０５は，光電変換された信号を視認可能に記録媒体に出力する，つまり記録紙にプリントするプリント手段，Ｓ１０６は，前記プリント手段を制御するプリント制御手段，Ｓ１０７は，電源スイッチ，Ｓ１０８は，プリントボタン，Ｓ１０９は，本プリンタと有線または無線接続した外部装置より画像ディジタル情報を受信したことを機に印刷を開始する自動印刷手段，本発明の範囲は，Ｓ１０３，Ｓ１０９である。
【００１８】
図２は本発明の実施の形態における，携帯電話の詳細な構成を示すブロック図である。
【００１９】
図２について，以下に説明する。
【００２０】
図２において，Ｓ２０１は，制御装置２，Ｓ２０２は，画像ディジタル情報や文字ディジタル情報を表示する液晶ディスプレイ（ＬＣＤ）からなる表示手段，Ｓ２０３は，ディジタル情報を記憶するメモリ手段２，Ｓ２０４は，通信回線を介してディジタル情報を送受信する送受信手段，Ｓ２０５は，前記送受信手段（Ｓ２０４）によって受信したディジタル情報の種類に応じて，自動的に印刷出力するディジタル情報を設定する自動印刷設定手段，Ｓ２０６は，前記自動印刷設定手段（Ｓ２０５）によって設定された自動印刷情報を記憶する自動印刷情報記憶手段，Ｓ２０７は，前記送受信手段（Ｓ２０４）によって受信したディジタル情報の種類に応じて，自動的にフォーマット印刷するディジタル情報と該ディジタル情報の種類に対応したフォーマットを設定する自動フォーマット印刷設定手段，Ｓ２０８は，前記自動フォーマット印刷設定手段（Ｓ２０７）によって設定された自動フォーマット印刷情報を記憶する自動フォーマット印刷情報記憶手段，Ｓ２０９は，前記印刷フォーマット設定手段によって設定されるフォーマットを入力する印刷フォーマット入力手段，Ｓ２１０は，前記自動フォーマット印刷設定手段（Ｓ２０７）によって設定されたディジタル情報にフォーマットを設定するための画像処理を行うフォーマット画像処理手段と，Ｓ２１１は，前記自動印刷設定手段（Ｓ２０５）によって設定されたディジタル情報を，前記送受信手段（Ｓ２０４）によって受信した時，前記携帯電話と有線または無線接続した携帯プリンタに該ディジタル情報を自動的に送信する自動送信手段，Ｓ２１２は，電源スイッチ，Ｓ２１３は，前記フォーマット入力手段（Ｓ２０９）の１つで，複数のフォーマットを掲載したインターネットのＨＰより，操作者の所望のフォーマットをダウンロードするフォーマットダウンロード手段である。
【００２１】
本発明の範囲は，Ｓ２０５，Ｓ２０６，Ｓ２０７，Ｓ２０８，Ｓ２０９，Ｓ２１０，Ｓ２１１，Ｓ２１３である。
【００２２】
（第１実施例）
本発明の第１実施例として，通信回線を介して画像や文字のディジタル情報を送受信するディジタル情報送受信手段と，該ディジタル情報を記憶する記憶手段とを有する携帯電話において，前記携帯電話と，ディジタル情報を視認可能に印刷する手段を有し，さらに前記携帯電話と有線または無線接続する手段を有する携帯プリンタと有線または無線接続している間，予め操作者によって自動的に印刷するように指定されたディジタル情報を，前記送受信手段によって受信した時，一切操作者の操作を介することなく，自動的に該ディジタル情報を前記携帯プリンタに送信し，前記プリンタにおいて，該ディジタル情報を印刷出力する例を挙げる。
【００２３】
前記携帯電話は，請求項１，請求項２，請求項３，請求項４，請求項５，請求項６，請求項７，請求項８，請求項１６の内容を適用し，前記携帯プリンタは，請求項２０，請求項２１の内容を適用していることを特徴とする。
【００２４】
以下にその概要について，図面を用いて説明する。
【００２５】
図９は，本発明を適用した第１実施形態を実施する形態を示す構成図である。
【００２６】
図９について，以下に説明する。
【００２７】
Ｓ９０１は，本発明を適用した携帯電話を示す。
【００２８】
Ｓ９０２は，本発明を適用した携帯プリンタを示す。
【００２９】
Ｓ９０３は，前記携帯電話（Ｓ９０１）と前記携帯プリンタ（Ｓ９０２）を，有線または無線接続している様子を示す。
【００３０】
図３，図４は，本発明を適用した第１実施形態を実施する際の，詳細アルゴリズムである。
【００３１】
図３は，前記携帯電話において，該携帯電話が前記携帯プリンタ装置と有線または無線接続している間，前記送受信手段（Ｓ２０４）によってディジタル情報を受信した時，自動的に印刷出力するディジタル情報の種類を設定（Ｓ２０５）する際の，詳細アルゴリズムである。
【００３２】
図３について，以下に説明する。
【００３３】
図３において，ステップ＃１は，本アルゴリズムのスタート地点である。
【００３４】
ステップ＃２では，前記携帯電話の電源ＳＷ（Ｓ２１２）がＯＮであるか否かを検知する。「はい」であればステップ＃３へ，「いいえ」であればそのまま待機する。
【００３５】
ステップ＃３では，メニュー画面を表示する。
【００３６】
ステップ＃４では，自動印刷設定メニューが選択されたか否かを検知する。「はい」であればステップ＃５へ，「いいえ」であれば，ステップ＃１２へ進む。ステップ＃１２では，その他のメニュー操作を行う。
【００３７】
ステップ＃５では，自動印刷を設定できるディジタル情報の種類（Ａ）の一覧を表示する。
【００３８】
ステップ＃６では，ステップ＃５において表示された自動印刷を設定可能なディジタル情報種類の一覧より，特定のディジタル情報が選択されたか否かを検知する。「はい」であればステップ＃７へ，「いいえ」であれば，ステップ＃８へ進む。
【００３９】
ステップ＃７では，ステップ＃６において選択されたディジタル情報の種類を記憶する。
【００４０】
ステップ＃８では，自動印刷設定をキャンセルするキャンセルが選択されたか否かを検知する。「はい」であればステップ＃１１へ，「いいえ」であればステップ＃６へ進む。
【００４１】
ステップ＃９では，自動印刷設定メニューを終了する終了が選択されたか否かを検知する。「はい」であればステップ＃１０へ，「いいえ」であればステップ＃６へ進む。
【００４２】
ステップ＃１０では，メニュー画面を表示する。
【００４３】
ステップ＃１１は，本アルゴリズムの終点である。
【００４４】
図３の，ステップ＃５における自動印刷を設定できるディジタル情報（Ａ）の例は，本発明の請求項２，請求項３，請求項４，請求項５，請求項６，請求項７に記載のディジタル情報によって示される。
【００４５】
ステップ＃４〜ステップ＃９は，自動印刷設定手段（Ｓ２０５）による。
【００４６】
ステップ＃７は，自動印刷情報記憶手段（Ｓ２０６）による。
【００４７】
図４は，前記携帯電話において，該携帯電話が前記携帯プリンタと有線または無線接続している間，前記送受信手段（Ｓ２０４）によって，前記自動印刷設定手段（Ｓ２０５）によって設定されたディジタル情報を受信した時，該ディジタル情報を自動的に前記携帯プリンタへ送信する際の，詳細アルゴリズムである。
【００４８】
図４について，以下に説明する。
【００４９】
図４において，ステップ＃１は，本アルゴリズムのスタート地点である。
【００５０】
ステップ＃２では，前記プリンタの電源ＳＷ（Ｓ１０７）がＯＮであるか否かを検知する。「はい」であればステップ＃９−３へ，「いいえ」であればそのまま待機する。
【００５１】
ステップ＃３では，前記送受信手段（Ｓ２０４）によってディジタル情報を受信したか否かを検知する。「はい」であればステップ＃４へ，「いいえ」であればそのまま待機する。
【００５２】
ステップ＃４では，ステップ＃３において受信したディジタル情報をメモリ手段２（Ｓ２０３）によって記憶する。
【００５３】
ステップ＃５では，ステップ＃３において受信したディジタル情報が，自動印刷情報記憶手段（Ｓ２０６）によって記憶されているディジタル情報の種類に含まれるか否かを判断する。「はい」であればステップ＃６へ，「いいえ」であればステップ＃７へ進む。
【００５４】
ステップ＃６では，ステップ＃３において受信したディジタル情報を，前記携帯電話と有線または無線接続した携帯プリンタに送信する。
【００５５】
ステップ＃７は，本アルゴリズムの終点である。
【００５６】
図４の，ステップ＃６は，自動送信手段（Ｓ２１１）による。
【００５７】
図５は，前記携帯電話によって，自動的に前記携帯プリンタへ送信したディジタル情報を，前記携帯電話と有線または無線接続した携帯プリンタにおいて受信し，自動的に印刷出力する際の，詳細アルゴリズムである。
【００５８】
図５について，以下に説明する。
【００５９】
図５において，ステップ＃１は，本アルゴリズムのスタート地点である。
【００６０】
ステップ＃２では，前記プリンタの電源ＳＷ（Ｓ１０７）がＯＮであるか否かを検知する。「はい」であればステップ＃３へ，「いいえ」であればそのまま待機する。
【００６１】
ステップ＃３では，ディジタル情報を受信したか否かを検知する。「はい」であればステップ＃４へ，「いいえ」であればそのまま待機する。
【００６２】
ステップ＃４では，ステップ＃３において受信したディジタル情報を，メモリ手段１（Ｓ１０２）によって記憶する。
【００６３】
ステップ＃５では，プリント制御手段（Ｓ１０６）を介してプリント手段（Ｓ１０５）を駆動し，予備吐出，目詰まり解消，ノズルの回復等を行う。
【００６４】
ステップ＃６では，ステップ＃４において記憶されたディジタル情報を，画像処理手段（Ｓ１０４）によって，ディジタル情報を印刷出力するための画像処理を行う。
【００６５】
ステップ＃７では，ステップ＃６において画像処理を行われたディジタル情報を，メモリ手段１（Ｓ１０２）によって一時的に記憶する。
【００６６】
ステップ＃８では，プリント制御手段（Ｓ１０６）を介してプリント手段（Ｓ１０５）を駆動し，ステップ＃７において記憶された画像処理済みディジタル情報を印刷する。
【００６７】
ステップ＃９では，印刷済み記録紙が記録紙排出口より排出される。
【００６８】
ステップ＃１０は，本アルゴリズムの終点である。
【００６９】
（第２実施例）
本発明の第２実施例として，通信回線を介して画像や文字のディジタル情報を送受信するディジタル情報送受信手段と，該ディジタル情報を記憶する記憶手段とを有する携帯電話において，前記携帯電話と，ディジタル情報を視認可能に印刷する手段を有し，さらに前記携帯電話と有線または無線接続する手段を有する携帯プリンタと，有線または無線接続している間，予め操作者によって自動的にフォーマット印刷するように指定されたディジタル情報を，前記送受信手段によって受信した時，一切操作者の操作を介することなく，自動的に該ディジタル情報に対してフォーマットを設定し，さらにフォーマット設定済みディジタル情報を前記携帯プリンタに送信し，前記プリンタにおいて，該ディジタル情報を印刷出力する例を挙げる。
【００７０】
前記携帯電話は，請求項９，請求項１０，請求項１１，請求項１２，請求項１３，請求項１４，請求項１５，請求項１６，請求項１７，請求項１８，請求項１９の内容を適用し，前記携帯プリンタは，請求項２０，請求項２１の内容を適用していることを特徴とする。
【００７１】
以下にその概要について，図面を用いて説明する。
【００７２】
本発明を適用した第２実施形態を実施する形態を示す構成図は，第１実施形態と同様である。
【００７３】
図６，図７，図８は，本発明を適用した第２実施形態を実施する際の，詳細アルゴリズムである。
【００７４】
図６は，前記携帯電話において，前記送受信手段によって受信したディジタル情報に対して，予め操作者によって自動的にフォーマット印刷するように指定する際の，フォーマットを前記携帯電話に入力する手段の一例を示す，詳細アルゴリズムである。
【００７５】
具体的には，複数のフォーマットを掲載したインターネットのホームページに前記携帯電話からアクセスし，該ホームページより操作者の所望するフォーマットをダウンロードする際の，詳細アルゴリズムである。
【００７６】
図６について，以下に説明する。
【００７７】
図６において，ステップ＃１は，本アルゴリズムのスタート地点である。
【００７８】
ステップ＃２では，前記携帯電話の電源ＳＷ（Ｓ２１２）がＯＮであるか否かを検知する。「はい」であればステップ＃３へ，「いいえ」であればそのまま待機する。
【００７９】
ステップ＃３では，メニュー画面を表示する。
【００８０】
ステップ＃４では，フォーマット入力ニューが選択されたか否かを検知する。「はい」であればステップ＃５へ，「いいえ」であれば，ステップ＃６へ進む。
【００８１】
ステップ＃５では，フォーマット入力手段（Ｂ）の一覧を表示する。
【００８２】
ステップ＃６では，その他のメニュー操作を受け付ける。
【００８３】
ステップ＃７では，ステップ＃５において表示されたフォーマット入力手段の一覧より，フォーマットダウンロード手段が選択されたか否かを検知する。「はい」であればステップ＃８へ，「いいえ」であればステップ＃９へ進む。
【００８４】
ステップ＃８では，携帯電話からインターネットに接続し，複数のフォーマットが掲載されているＨＰを表示する。
【００８５】
ステップ＃９では，フォーマット入力をキャンセルするキャンセルが選択されたか否かを検知する。「はい」であればステップステップ＃１８へ，「いいえ」であればそのまま待機する。
【００８６】
ステップ＃１０では，ステップ＃８において表示されたＨＰに掲載される複数のフォーマットを表示する。
【００８７】
ステップ＃１１では，ステップ＃１０において表示された複数のフォーマットより，特定のフォーマットが選択されたか否かを検知する。「はい」であればステップ＃１２へ，「いいえ」であればステップ＃１３へ進む。
【００８８】
ステップ＃１２では，ステップ＃１１において選択されたフォーマットを該ＨＰより該携帯電話へダウンロードする。
【００８９】
ステップ＃１３では，ステップ＃７において選択されたフォーマットダウンロードをキャンセルするキャンセルが選択されたか否かを検知する。「はい」であればステップ＃１４へ，「いいえ」であればそのまま待機する。
【００９０】
ステップ＃１４では，ステップ＃８において接続されたインターネットとの接続を切断し，ステップ＃１６へ進む。
【００９１】
ステップ＃１５では，ステップ＃１２においてダウンロードされたフォーマットをメモリ手段２（Ｓ２０３）によって記憶する。
【００９２】
ステップ＃１６では，フォーマットダウンロードの終了を示す終了が選択されたか否かを検知する。「はい」であればステップ＃１７へ，「いいえ」であればステップ＃７へ進む。
【００９３】
ステップ＃１７では，メニュー画面を表示する。
【００９４】
ステップ＃１８は，本アルゴリズムの終点である。
【００９５】
図６の，ステップ＃５における，フォーマット入力手段（Ｂ）の１例は，本発明の請求項１８に記載のフォーマットダウンロード手段によって示される。
【００９６】
ステップ＃７〜ステップ＃１６は，フォーマットダウンロード手段（Ｓ２１３）による。
【００９７】
ステップ＃４〜ステップ＃１６は，フォーマット入力手段（Ｓ２０９）による。
【００９８】
図７は，前記携帯電話において，前記送受信手段によって受信したディジタル情報に対して，予め操作者によって自動的にフォーマット印刷するように設定する際の，詳細アルゴリズムである。
【００９９】
図７について，以下に説明する。
【０１００】
図７において，ステップ＃１は，本アルゴリズムのスタート地点である。
【０１０１】
ステップ＃２では，前記携帯電話の電源ＳＷ（Ｓ２１２）がＯＮであるか否かを検知する。「はい」であればステップ＃３へ，「いいえ」であればそのまま待機する。
【０１０２】
ステップ＃３では，メニュー画面を表示する。
【０１０３】
ステップ＃４では，自動フォーマット印刷設定メニューが選択されたか否かを検知する。「はい」であればステップ＃５へ，「いいえ」であれば，ステップ＃６へ進む。
【０１０４】
ステップ＃５では，自動フォーマット印刷を設定できるディジタル情報の種類（Ｃ）の一覧を表示する。
【０１０５】
ステップ＃６では，その他のメニュー操作を行う。
【０１０６】
ステップ＃７では，ステップ＃５において表示された一覧より，自動フォーマット印刷を行うディジタル情報の種類が選択されたか否かを検知する。「はい」であればステップ＃９へ，「いいえ」であればステップ＃８へ進む。
【０１０７】
ステップ＃８では，自動フォーマット印刷設定をキャンセルするキャンセルが選択されたか否かを検知する。「はい」であればステップ＃１６へ，「いいえ」であればそのまま待機する。
【０１０８】
ステップ＃９では，ステップ＃７において選択されたディジタル情報の種類を，自動フォーマット印刷情報としてメモリ手段２（Ｓ２０３）によって記憶される。
【０１０９】
ステップ＃１０では，自動フォーマット印刷に設定できるフォーマットがメモリ手段２（Ｓ２０３）によって記憶されているか否かを検知する。「はい」であればステップ＃１１へ，「いいえ」であればステップ＃１２へ進む。
【０１１０】
ステップ＃１１では，メモリ手段２（Ｓ２０３）によって記憶される自動フォーマット印刷に設定できるフォーマット（Ｄ）の一覧を表示する。
【０１１１】
ステップ＃１２では，新規フォーマット入力が選択されたか否かを検知する。「はい」であればステップ＃１３へ，「いいえ」であればステップ＃１８へ進む。
【０１１２】
ステップ＃１３では，フォーマットを入力（Ｄ）する。
【０１１３】
ステップ＃１４では，ステップ＃１１において表示された自動フォーマットに設定できるフォーマット一覧より，特定のフォーマットが選択されたか否かを検知する。「はい」であればステップ＃１５へ，「いいえ」であればステップ＃１６へ進む。
【０１１４】
ステップ＃１５では，ステップ＃１４において選択されたフォーマットを自動フォーマット印刷情報としてメモリ手段２（Ｓ２０３）によって記憶する。
【０１１５】
ステップ＃１６では，自動フォーマット印刷のフォーマット設定をキャンセルするキャンセルが選択されたか否かを検知する。「はい」であればステップ＃１８へ，「いいえ」であればそのまま待機する。
【０１１６】
ステップ＃１７では，自動フォーマット印刷設定を終了する終了が選択されたか否かを検知する。「はい」であればステップ＃１８へ，「いいえ」であればステップ＃７へ進む。
【０１１７】
ステップ＃１８では，メニュー画面を表示する。
【０１１８】
ステップ＃１９は，本アルゴリズムの終点である。
【０１１９】
図７の，ステップ＃５における，自動フォーマット印刷を設定できるディジタル情報の種類（Ｃ）の例は，本発明の請求項１０，請求項１１，請求項１２，請求項１３，請求項１４に記載のディジタル情報の種類によって示される。
【０１２０】
ステップ＃４〜ステップ＃１７は，自動フォーマット印刷設定手段（Ｓ２０７）による。
【０１２１】
ステップ＃９は，自動印刷情報記憶手段（Ｓ２０８）による。
【０１２２】
ステップ＃１３における，フォーマット入力（Ｄ）の一例は，本発明の請求項１８に記載のフォーマットダウンロード手段によって示され。詳細アルゴリズムは図５によって示される。
【０１２３】
図８は，前記携帯電話において，該携帯電話が前記携帯プリンタと有線または無線接続している間，前記送受信手段（Ｓ２０４）によって，前記自動フォーマット印刷設定手段（Ｓ２０６）によって設定されたディジタル情報を受信した時，前記自動フォーマット印刷情報記憶手段（Ｓ２０８）によって記憶される情報に基づいて，該ディジタル情報にフォーマットを設定するための画像処理（Ｓ２１０）を行い，その結果得られたディジタル情報を自動的に前記携帯プリンタへ送信（Ｓ２１１）する際の，詳細アルゴリズムである。
【０１２４】
図８について，以下に説明する。
【０１２５】
図８において，ステップ＃１は，本アルゴリズムのスタート地点である。
【０１２６】
ステップ＃２では，前記携帯電話の電源ＳＷ（Ｓ２１２）がＯＮであるか否かを検知する。「はい」であればステップ＃９−３へ，「いいえ」であればそのまま待機する。
【０１２７】
ステップ＃３では，前記送受信手段（Ｓ２０４）によってディジタル情報を受信したか否かを検知する。「はい」であればステップ＃４へ，「いいえ」であればそのまま待機する。
【０１２８】
ステップ＃４では，ステップ＃３において受信したディジタル情報をメモリ手段２（Ｓ２０３）によって記憶する。
【０１２９】
ステップ＃５では，ステップ＃４において記憶したディジタル情報が，自動フォーマット印刷情報記憶手段（Ｓ２０８）によって記憶されているディジタル情報の種類に含まれるか否かを判断する。「はい」であればステップ＃６へ，「いいえ」であればステップ＃９へ進む。
【０１３０】
ステップ＃６では，ステップ＃４において記憶したディジタル情報に，前記自動フォーマット印刷情報記憶手段（Ｓ２０８）によって記憶されたフォーマットを設定するための画像処理を行う。
【０１３１】
ステップ＃７では，ステップ＃６においてフォーマットを設定されたディジタル情報を再度メモリ手段２（Ｓ２０３）によって記憶する。
【０１３２】
ステップ＃８では，前記携帯電話と有線または無線接続した携帯プリンタに該ディジタル情報を送信する。
【０１３３】
ステップ＃９は，本アルゴリズムの終点である。
【０１３４】
図８の，ステップ＃８は，自動送信手段（Ｓ２１１）による。
【０１３５】
図８において，前記携帯電話によって送信されたディジタル情報を，前記携帯プリンタが受信し，自動的に印刷出力する詳細アルゴリズムは第１実施形態と同様である。
【０１３６】
【発明の効果】
このように，本発明によれば，携帯電話と携帯プリンタと有線または無線接続している間，携帯電話が受信したディジタル情報を携帯プリンタから自動的に印刷，または自動的にフォーマットを設定して印刷することによって，煩わしい操作を行うことなく，簡単に体裁良く印刷出力できるという効果が得られる。
【図面の簡単な説明】
【図１】本発明の実施の形態における，携帯プリンタの詳細な構成を示すブロック図。
【図２】本発明の実施の形態における，携帯電話の詳細な構成を示すブロック図。
【図３】本発明の適用した携帯電話において，自動的に印刷するディジタル情報の種類を設定する際の，詳細アルゴリズムである。
【図４】本発明を適用した前記携帯電話において，自動的に携帯プリンタへディジタル情報を送信する際の，詳細アルゴリズムである。
【図５】本発明を適用した携帯プリンタにおいて，携帯電話から受信したディジタル情報を，自動的に印刷出力する際の，詳細アルゴリズムである。
【図６】本発明を適用した携帯電話において，自動的にフォーマット印刷するためのフォーマットを入力する際の，詳細アルゴリズムである。
【図７】本発明を適用した第１０実施形態を実施する形態を示す構成図。
【図８】本発明を適用した携帯電話において，自動的にディジタル情報にフォーマットを設定し，携帯プリンタへ送信する際の，詳細アルゴリズムである。
【図９】本発明を適用した第１実施形態，第２実施形態を実施する際の構成図である。
【図１】
2004056366.tif 000003
【図２】
2004056366.tif 000004
【図３】
2004056366.tif 000005
【図４】
2004056366.tif 000006
【図５】
2004056366.tif 000007
【図６】
2004056366.tif 000008
【図７】
2004056366.tif 000009
【図８】
2004056366.tif 000010
【図９】
2004056366.tif 000011